【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
レンダリング装置によってイマーシブコンテンツをレンダリングする方法であって、
前記イマーシブコンテンツ内の関心のあるリファレンス方向を取得することと、
前記イマーシブコンテンツ内の位置で、少なくとも１つの目を持つキャラクタを表すオブジェクトを挿入することと
を有し、
前記位置は、当該レンダリング装置によってレンダリングされる前記イマーシブコンテンツの部分において含まれ、
前記オブジェクトの前記少なくとも１つの目の注視方向は、前記位置及び前記リファレンス方向に従って決定され、
イベントが前記リファレンス方向において起き、
前記イベントが前記イマーシブコンテンツ内で起きる前に、前記リファレンス方向が取得される、方法。
【請求項２】
前記注視方向は、前記イマーシブコンテンツ内の前記位置から前記リファレンス方向の方向において前記キャラクタに見させるよう決定される、請求項１に記載の方法。
【請求項３】
前記方法は、前記リファレンス方向に関連付けられる感情データを取得することを更に含み、前記オブジェクトは、前記感情データを反映するようアニメーション化される、請求項１又は２に記載の方法。
【請求項４】
前記キャラクタは、ボディ部分を有し、該ボディ部分は、前記注視方向の表れを補強するようアニメーション化される、請求項１乃至３のうちいずれか一項に記載の方法。
【請求項５】
前記位置は、前記イマーシブコンテンツの前記レンダリングされる部分における前記オブジェクトの投影のスクリーン空間ポジション及びスクリーン空間サイズに従って、決定される、請求項１乃至４のうちいずれか一項に記載の方法。
【請求項６】
前記リファレンス方向は、前記イマーシブコンテンツを符号化するデータストリームから取得される、請求項１乃至５のうちいずれか一項に記載の方法。
【請求項７】
前記リファレンス方向は、関心領域を検出するよう前記イマーシブコンテンツを解析することによって、取得される、請求項１乃至５のうちいずれか一項に記載の方法。
【請求項８】
少なくとも１つのプロセッサに関連するメモリを有するレンダリング装置であって、
前記少なくとも１つのプロセッサは、
イマーシブコンテンツ内の関心のあるリファレンス方向を取得し、
前記イマーシブコンテンツ内の位置で、少なくとも１つの目を持つキャラクタを表すオブジェクトを挿入する
よう構成され、
前記位置は、当該レンダリング装置によってレンダリングされる前記イマーシブコンテンツの部分において含まれ、
前記オブジェクトの前記少なくとも１つの目の注視方向は、前記位置及び前記リファレンス方向に従って決定され、
イベントが前記リファレンス方向において起き、
前記イベントが前記イマーシブコンテンツ内で起きる前に、前記リファレンス方向が取得される、レンダリング装置。
【請求項９】
前記注視方向は、前記イマーシブコンテンツ内の前記位置から前記リファレンス方向の方向において前記キャラクタに見させるよう決定される、請求項８に記載のレンダリング装置。
【請求項１０】
前記少なくとも１つのプロセッサは、前記リファレンス方向に関連付けられる感情データを取得するように更に構成されており、前記オブジェクトは、前記感情データを反映するようアニメーション化される、請求項８又は９に記載のレンダリング装置。
【請求項１１】
前記キャラクタは、ボディ部分を有し、該ボディ部分は、前記注視方向の表れを補強するようアニメーション化される、請求項８乃至１０のうちいずれか一項に記載のレンダリング装置。
【請求項１２】
前記位置は、前記イマーシブコンテンツの前記レンダリングされる部分における前記オブジェクトの投影のスクリーン空間ポジション及びスクリーン空間サイズに従って、決定される、請求項８乃至１１のうちいずれか一項に記載のレンダリング装置。
【請求項１３】
前記リファレンス方向は、前記イマーシブコンテンツを符号化するデータストリームから取得される、請求項８乃至１２のうちいずれか一項に記載のレンダリング装置。
【請求項１４】
前記リファレンス方向は、関心領域を検出するよう前記イマーシブコンテンツを解析することによって、取得される、請求項８乃至１３のうちいずれか一項に記載のレンダリング装置。
【手続補正２】
【補正対象書類名】明細書
【補正対象項目名】００５１
【補正方法】変更
【補正の内容】
【００５１】
多数の実施が記載されてきた。それでもなお、様々な変更が行われ得ることが理解されるだろう。例えば、異なる実施の要素は、他の実施をもたらすよう結合、置換、変更、又は除外されてよい。加えて、当業者であれば、他の構造及びプロセスが、開示されているものに代用されてよく、結果として現れる実施が、開示されている実施と少なくとも略同じ結果を達成するよう、少なくとも略同じ方法で、少なくとも略同じ機能を実施すると理解するだろう。然るに、それら及び他の実施は、本願によって意図されている。
なお、上述の実施形態の一部又は全部は、以下の付記のように記載され得るが、以下には限定されない。
（付記１）
レンダリング装置によってイマーシブコンテンツをレンダリングする方法であって、
前記イマーシブコンテンツ内の関心のあるリファレンス方向及び該リファレンス方向に関連する感情データを取得することと、
前記イマーシブコンテンツ内の位置で、少なくとも１つの目を持つキャラクタを表すオブジェクトを挿入することと
を有し、
前記位置は、当該レンダリング装置によってレンダリングされる前記イマーシブコンテンツの部分において含まれ、
前記オブジェクトの前記少なくとも１つの目の注視方向は、前記位置及び前記リファレンス方向に従って決定され、
前記オブジェクトは、前記感情データを反映するよう決定される、
方法。
（付記２）
前記注視方向は、前記イマーシブコンテンツ内の前記位置から前記リファレンス方向の方向において前記キャラクタに見させるよう決定される、
付記１に記載の方法。
（付記３）
前記オブジェクトは、前記感情データを反映するようアニメーション化される、
付記１又は２に記載の方法。
（付記４）
前記キャラクタは、ボディ部分を有し、該ボディ部分は、前記注視方向の表れを補強するようアニメーション化される、
付記１乃至３のうちいずれかに記載の方法。
（付記５）
前記位置は、前記イマーシブコンテンツの前記レンダリングされる部分における前記オブジェクトの投影のスクリーン空間ポジション及びスクリーン空間サイズに従って、決定される、
付記１乃至４のうちいずれかに記載の方法。
（付記６）
前記リファレンス方向は、前記イマーシブコンテンツを符号化するデータストリームから取得される、
付記１乃至５のうちいずれかに記載の方法。
（付記７）
前記リファレンス方向は、関心領域を検出するよう前記イマーシブコンテンツを解析することによって、取得される、
付記１乃至５のうちいずれかに記載の方法。
（付記８）
前記リファレンス方向は、イベントが前記イマーシブコンテンツにおいて起こる前に、取得される、
付記１乃至７のうちいずれかに記載の方法。
（付記９）
少なくとも１つのプロセッサに関連するメモリを有するレンダリング装置であって、
前記少なくとも１つのプロセッサは、
イマーシブコンテンツ内の関心のあるリファレンス方向及び該リファレンス方向に関連する感情データを取得し、
前記イマーシブコンテンツ内の位置で、少なくとも１つの目を持つキャラクタを表すオブジェクトを挿入する
よう構成され、
前記位置は、当該レンダリング装置によってレンダリングされる前記イマーシブコンテンツの部分において含まれ、
前記オブジェクトの前記少なくとも１つの目の注視方向は、前記位置及び前記リファレンス方向に従って決定され、
前記オブジェクトは、前記感情データを反映するよう決定される、
レンダリング装置。
（付記１０）
前記注視方向は、前記イマーシブコンテンツ内の前記位置から前記リファレンス方向の方向において前記キャラクタに見させるよう決定される、
付記９に記載のレンダリング装置。
（付記１１）
前記オブジェクトは、前記感情データを反映するようアニメーション化される、
付記９又は１０に記載のレンダリング装置。
（付記１２）
前記キャラクタは、ボディ部分を有し、該ボディ部分は、前記注視方向の表れを補強するようアニメーション化される、
付記９乃至１１のうちいずれかに記載のレンダリング装置。
（付記１３）
前記位置は、前記イマーシブコンテンツの前記レンダリングされる部分における前記オブジェクトの投影のスクリーン空間ポジション及びスクリーン空間サイズに従って、決定される、
付記９乃至１２のうちいずれかに記載のレンダリング装置。
（付記１４）
前記リファレンス方向は、前記イマーシブコンテンツを符号化するデータストリームから取得される、
付記９乃至１３のうちいずれかに記載のレンダリング装置。
（付記１５）
前記リファレンス方向は、関心領域を検出するよう前記イマーシブコンテンツを解析することによって、取得される、
付記９乃至１４のうちいずれかに記載のレンダリング装置。